(57)【要約】  本開示の実施形態は、ボーラス構成を選択する方法、システム及び装置を含み、１つまたは複数のユーザインタフェース要素の選択のためのユーザインタフェースを提供することの１つまたは複数を含んでよく、各要素は、薬物のボーラス構成に対応し、各要素は、少なくとも３つの次元に対応する多次元空間内に空間的に位置づけられ、要素の位置は各次元に対応する。
2011518634.tif 000002
【特許請求の範囲】
【請求項１】
薬物送達装置において、
１つまたは複数のユーザインタフェース要素を選択するためのユーザインタフェースを備え、
各要素は、薬物のボーラス構成に対応し、
各要素は、少なくとも３つの次元に対応する多次元空間内に空間的に位置づけられ、
前記要素の位置が各次元に対応した、薬物送達装置。
【請求項２】
請求項１に記載の薬物送達装置において、各ボーラス構成は、ボーラス投与量及びボーラス送達パターンに対応した、薬物送達装置。
【請求項３】
請求項２に記載の薬物送達装置において、各ボーラス投与量及び各ボーラス送達パターンが予め決定された、薬物送達装置。
【請求項４】
請求項１に記載の薬物送達装置において、前記薬物がインスリンである、薬物送達装置。
【請求項５】
請求項２に記載の薬物送達装置において、前記多次元空間の前記次元は、ユーザの現在の血中ブドウ糖レベル、ユーザの摂取物の炭水化物負荷、摂取物のグリセミック指数（ＧＩ）、及び摂取物のグリセミック負荷のうち少なくとも３つを表す、送達装置。
【請求項６】
請求項５に記載の薬物送達装置において、前記ボーラス投与量は、ユーザの摂取物の前記炭水化物負荷及び前記現在の血中ブドウ糖レベルに従って推奨され、前記ボーラス送達パターンは、摂取物の含量に従って推奨される、薬物送達装置。
【請求項７】
請求項２に記載の薬物送達装置において、前記送達パターンは摂取物の前記ＧＩに従って推奨される、薬物送達装置。
【請求項８】
請求項２に記載の薬物送達装置において、前記ボーラス送達パターンは剰余インスリンに従って推奨される、薬物送達装置。
【請求項９】
請求項１に記載の薬物送達装置において、前記多次元空間の前記次元の測定値は、質的記述的パラメータとして表される、薬物送達装置。
【請求項１０】
請求項９に記載の薬物送達装置において、前記質的記述的パラメータは１つまたは複数の範囲を含んだ、薬物送達装置。
【請求項１１】
請求項１０に記載の薬物送達装置において、前記範囲が小、中または大を含んだ、薬物送達装置。
【請求項１２】
請求項１に記載の薬物送達装置において、血糖計をさらに備えた、薬物送達装置。
【請求項１３】
請求項１２に記載の薬物送達装置において、前記ユーザインタフェースは遠隔制御ユニットで実装され、前記薬物は固定パッチユニットを用いて送達される、薬物送達装置。
【請求項１４】
請求項１３に記載の薬物送達装置において、前記血糖計は前記遠隔制御ユニット内に配置された、薬物送達装置。
【請求項１５】
請求項１３に記載の薬物送達装置において、前記血糖計は前記固定パッチユニット内に配置された、薬物送達装置。
【請求項１６】
請求項１に記載の薬物送達装置において、前記ユーザインタフェースにブドウ糖値を与えるために採用された連続ブドウ糖モニタ（ＣＧＭ）をさらに備えた、薬物送達装置。
【請求項１７】
請求項１６に記載の薬物送達装置において、前記連続ブドウ糖モニタは、前記ブドウ糖値を自動的に与える、薬物送達装置。
【請求項１８】
請求項２に記載の薬物送達装置において、前記インスリンボーラス送達パターンは、食品摂取物の脂肪含量に基づいて決定される、薬物送達装置。
【請求項１９】
請求項２に記載の薬物送達装置において、前記インスリンボーラス送達パターンは、食品摂取物の繊維含量に基づいて確立される、薬物送達装置。
【請求項２０】
請求項２に記載の薬物送達装置において、前記ボーラス投与量は、所定の最大オーバーシュート及び／または最小アンダーシュート基準を超えない、薬物送達装置。
【請求項２１】
請求項２０に記載の薬物送達装置において、前記最大オーバーシュート及び最小アンダーシュート基準がユーザによって定義される、薬物送達装置。
【請求項２２】
請求項１に記載の薬物送達装置において、２次元の空間内に位置づけられたユーザインタフェース要素を表示する第２のユーザインタフェースをさらに備え、前記２次元の空間の２つの次元は前記多次元空間の少なくとも２つの次元に対応する、薬物送達装置。
【請求項２３】
請求項１３に記載の薬物送達装置において、前記固定パッチユニットは、使い捨て部分及び再利用可能部分をさらに備えた、薬物送達装置。
【請求項２４】
請求項１３に記載の薬物送達装置において、前記固定パッチユニットの切断及び再接続を可能にする皮膚固定型クレードルユニットをさらに備えた、薬物送達装置。
【請求項２５】
請求項１に記載の薬物送達装置において、前記ボーラス構成は、以前のボーラス構成に基づいて推奨される、薬物送達装置。
【請求項２６】
ボーラス構成を選択するための方法において、
１つまたは複数のユーザインタフェース要素を選択するためのユーザインタフェースを提供するステップを含み、
各要素は、薬物のボーラス構成に対応し、
各要素は、少なくとも３つの次元に対応する多次元空間内に空間的に位置づけられ、
前記要素の位置が各次元に対応する、方法。
【請求項２７】
請求項２６に記載のボーラス構成を選択するための方法において、各ボーラス構成が、ボーラス投与量及びボーラス送達パターンに対応する、方法。
【請求項２８】
請求項２７に記載のボーラス構成を選択するための方法において、各ボーラス投与量及び各ボーラス送達パターンは予め決定される、方法。
【請求項２９】
請求項２６に記載のボーラス構成を選択するための方法において、前記薬物がインスリンである、方法。
【請求項３０】
請求項２７に記載のボーラス構成を選択するための方法において、前記多次元空間の前記次元は、ユーザの現在の血中ブドウ糖レベル、ユーザの摂取物の炭水化物負荷、摂取物のグリセミック指数（ＧＩ）、摂取物のグリセミック負荷のうち少なくとも３つを表す、方法。
【請求項３１】
請求項３０に記載のボーラス構成を選択するための方法において、前記ボーラス投与量は、ユーザの摂取物の前記炭水化物負荷及び前記現在の血中ブドウ糖レベルに従って推奨され、前記ボーラス送達パターンは、摂取物の含量に従って推奨される、方法。
【請求項３２】
請求項２７に記載のボーラス構成を選択するための方法において、前記送達パターンは摂取物の前記ＧＩに従って推奨される、方法。
【請求項３３】
請求項２７に記載のボーラス構成を選択するための方法において、前記ボーラス送達パターンは剰余インスリンに従って推奨される、方法。
【請求項３４】
請求項２６に記載のボーラス構成を選択するための方法において、前記多次元空間の前記次元の測定値は、質的記述的パラメータとして表される、方法。
【請求項３５】
請求項３４に記載のボーラス構成を選択するための方法において、前記質的記述的パラメータは１つまたは複数の範囲を含む、方法。
【請求項３６】
請求項３５に記載のボーラス構成を選択するための方法において、前記範囲は小、中または大を含んだ、ボーラス構成を選択する方法。
【請求項３７】
請求項２６に記載のボーラス構成を選択するための方法において、血糖計を提供するステップをさらに含む、方法。
【請求項３８】
請求項３７に記載のボーラス構成を選択するための方法において、前記ユーザインタフェースが遠隔制御ユニットで実装され、前記薬物は固定パッチユニットを用いて送達される、方法。
【請求項３９】
請求項３８に記載のボーラス構成を選択するための方法において、前記血糖計は前記遠隔制御ユニット内に配置された、方法。
【請求項４０】
請求項３８に記載のボーラス構成を選択するための方法において、前記血糖計は前記固定パッチユニット内に配置された、方法。
【請求項４１】
請求項２６に記載のボーラス構成を選択するための方法において、前記ユーザインタフェースにブドウ糖値を与えるために採用される連続ブドウ糖モニタ（ＣＧＭ）を提供するステップをさらに含む、方法。
【請求項４２】
請求項４１に記載のボーラス構成を選択するための方法において、前記連続ブドウ糖モニタは、前記ブドウ糖値を自動的に与えている、方法。
【請求項４３】
請求項２７に記載のボーラス構成を選択するための方法において、前記インスリンボーラス送達パターンは、食品摂取物の脂肪含量に基づいて決定される、方法。
【請求項４４】
請求項２７に記載のボーラス構成を選択するための方法において、前記インスリンボーラス送達パターンは、食品摂取物の繊維含量に基づいて決定される、方法。
【請求項４５】
請求項２７に記載のボーラス構成を選択するための方法において、前記ボーラス投与量は、所定の最大オーバーシュート及び最小アンダーシュート基準を超えない、方法。
【請求項４６】
請求項４５に記載のボーラス構成を選択するための方法において、前記最大オーバーシュート及び最小アンダーシュート基準はユーザによって決定される、方法。
【請求項４７】
請求項２６に記載のボーラス構成を選択するための方法において、２次元の空間内に位置づけられたユーザインタフェース要素を表示する第２のユーザインタフェースを提供するステップをさらに含み、前記２次元の空間の２つの次元は前記多次元空間の少なくとも２つの次元に対応する、方法。
【請求項４８】
請求項３８に記載のボーラス構成を選択するための方法において、前記固定パッチユニットは、使い捨て部分及び再利用可能部分をさらに備えた、方法。
【請求項４９】
請求項３８に記載のボーラス構成を選択するための方法において、前記固定パッチユニットの切断及び再接続を可能にする皮膚固定型クレードルユニットを提供するステップをさらに含む、方法。
【請求項５０】
請求項２６に記載のボーラス構成を選択するための方法において、前記ボーラス構成は、以前のボーラス構成に基づいて推奨される、方法。
【請求項５１】
ユーザの体内にインスリンを注入するインスリン送達装置において、
前記インスリンを貯留する貯蔵器と、
前記貯蔵器から前記ユーザの前記体内に前記インスリンを注入する駆動機構と、
炭水化物の推定値及び複数の入力に基づいて、インスリンの量及び送達パターンを決定するボーラスセレクタと、
前記インスリン量及び前記送達パターンに従って前記インスリンを注入する前記駆動機構を少なくとも制御する、前記ボーラスセレクタとともに使われるプロセッサと、
前記インスリン量及び前記送達パターンを示すユーザインタフェースとを備えたインスリン送達装置。
【請求項５２】
請求項５１に記載のインスリン送達装置において、前記複数の入力は、炭水化物負荷、前記ユーザのブドウ糖レベル、食事の含量、摂取物のＧＩ、摂取物の脂肪含量、摂取物の繊維含量、及び１つまたは複数の生理的パラメータからなる群から選択される、インスリン送達装置。
【請求項５３】
請求項５１に記載のインスリン送達装置において、前記装置が、少なくとも３つの次元をもつ少なくとも１つのグリッドを格納するメモリをさらに備え、前記グリッドは、前記ユーザのＣＩＲ、前記ユーザのＩＳ、前記ユーザのＴＢＧ及び前記ユーザのＲＩからなる群から選択される１つまたは複数のパラメータによって定義され、
前記インスリン量及び前記送達パターンが、前記少なくとも１つのグリッドに基づいて決定される、インスリン送達装置。
【請求項５４】
請求項５１に記載のインスリン送達装置において、前記炭水化物推定値及び前記複数の入力の１つまたは複数は、範囲を有する、インスリン送達装置。
【請求項５５】
請求項５１に記載のインスリン送達装置において、前記装置がブドウ糖センサを備えた、インスリン送達装置。
【請求項５６】
ユーザの体内にインスリンを注入するインスリン送達装置に用いるための方法において、
複数の入力及び前記体で消化される炭水化物の推定値を受け取るステップと、
前記炭水化物推定値及び前記複数の入力に基づいて、インスリンの量及び送達パターンを決定するステップと、
前記インスリン量及び前記送達パターンを前記ユーザに示すステップとを含む方法。
【請求項５７】
請求項５６に記載の方法において、前記複数の入力は、炭水化物負荷、前記ユーザのブドウ糖レベル、食事の含量、摂取物のＧＩ、摂取物の脂肪含量、摂取物の繊維含量、及び１つまたは複数の生理的パラメータからなる群から選択される、方法。
【請求項５８】
請求項５６に記載の方法において、少なくとも３つの次元を有する少なくとも１つのグリッドをメモリに格納するステップであって、前記グリッドは、前記ユーザのＣＩＲ、前記ユーザのＩＳ、前記ユーザのＴＢＧ、及び前記ユーザのＲＩからなる群から選択される１つまたは複数のパラメータによって定義されるステップと、
前記少なくとも１つのグリッドに基づいて前記インスリン量及び前記送達パターンを決定するステップとをさらに含む、方法。
【請求項５９】
請求項５６に記載の方法において、複数の範囲から前記複数の入力の１つまたは複数を選択するステップを含む、方法。
【請求項６０】
請求項５６に記載の方法において、前記送達パターンに従って前記インスリン量を注入するステップをさらに含む、方法。
【発明の詳細な説明】
【関連出願】
【０００１】
[0001]本出願は、その開示内容全体が参照によって本明細書に組み込まれている、２００８年４月２９日に出願した米国特許仮出願第６１／０４８，８５６号に対する優先権を主張する。
【技術分野】
【０００２】
[0002]流体を継続して注入するための方法、システム及び装置が記載される。いくつかの実施形態では、ボーラス投与量及び送達パターンを選択する可搬型注入装置及び方法を記載する。いくつかの実施形態では、たとえば、炭水化物負荷及び摂取内容に従ってボーラス投与量及び送達パターンを選択する皮膚固定型インスリン調剤装置及び方法を記載する。
【背景技術】
【０００３】
[0003]真性糖尿病は、世界規模で非常に重大な病気であり、ほぼ流行病のような速さで発症率が増しており、２００６年の世界中での患者数は１億７千万人であり、今後１０年から１５年で少なくとも２倍になると予測されている。糖尿病は、膵臓ホルモン、すなわちインスリンの相対的または絶対的欠乏に起因する、血中ブドウ糖濃度の慢性的増加（高血糖）を特徴とする。健康な膵臓では、ランゲルハンス島にあるベータ細胞が、血中ブドウ糖レベルに従ってインスリンを継続的に生じ、分泌して、体内でほぼ一定のブドウ糖レベルを維持する。
【０００４】
[0004]患者及び保健医療資源に対するこの病気の負担の多くは、長期の組織障害によるものであり、こうした障害は、小血管（眼、腎臓及び神経損傷を引き起こす細小血管障害）ならびに大血管（アテローム性動脈硬化症の進行を引き起こすとともに、冠性心疾患、末梢血管疾患及び脳卒中の発現率が増大する）両方に影響を及ぼす。糖尿病のコントロールと合併症に関する臨床試験（ＤＣＣＴ）は、糖尿病の慢性合併症の発現及び進行が、糖化ヘモグロビン（ＨｂＡ１ｃ）の量定によって定量化される異常血糖症の度合いに大きく関係することを明らかにした。［ＤＣＣＴ  Ｔｒｉａｌ、Ｎ  Ｅｎｇｌ  Ｊ  Ｍｅｄ  １９９３；３２９：９７７〜９８６、ＵＫＰＤＳ  Ｔｒｉａｌ、Ｌａｎｃｅｔ  １９９８；３５２：８３７〜８５３、ＢＭＪ  １９９８；３１７（７１６０）：７０３〜１３及びＥＤＩＣ  Ｔｒｉａｌ、Ｎ  Ｅｎｇｌ  Ｊ  Ｍｅｄ  ２００５；３５３（２５）：２６４３〜５３］。したがって、頻繁にブドウ糖を測定し、それに従ってインスリン送達を調整することによって正常血糖を維持することが最も重要である。
【０００５】
[0005]たとえば、皮下に挿入されたカニューレを通して即効性インスリンを１日あたり２４時間送達することができるインスリンポンプが利用可能である。１日の総インスリン投与量は、基礎投与量及びボーラス投与量に分けることができる。基礎インスリン投与量または単に基礎インスリンは、２４時間かけて継続的に送達することができ、食間及び一晩中、血中ブドウ糖レベルを受容範囲内に保つ。日中の基礎レートは、様々な過去または将来の日々の活動に従って予めプログラムすることも、手動で変更することもできる。
【０００６】
[0006]インスリンボーラス投与量または単にボーラスは、食前もしくは食後または高血糖レベルの発現中に炭水化物負荷を中和するように送達され得る。インスリンの量（ボーラス投与量）は、摂取物、血糖に関係し得るいくつかのパラメータ、及び以下を含む患者固有のパラメータに依存し得る。
・消費される食事中の炭水化物（カーボ）の量、あるいは「サービング」と定義され、１サービング＝１５グラムのカーボである。
・炭水化物対インスリン比（ＣＩＲ）、すなわち、１インスリン単位によって調節される炭水化物の量。
・インスリン感度（ＩＳ）、すなわち、１インスリン単位によって低下される血中ブドウ糖値の量。
・現在の血中ブドウ糖レベル（ＣＢＧ）。
・目標血中ブドウ糖レベル（ＴＢＧ）、すなわち、所望の血中ブドウ糖レベル。糖尿病を患っているほとんどの人に対するＴＢＧは、９０ｍｇ／ｄＬから１３０ｍｇ／ｄＬの範囲である。
・剰余インスリン（ＲＩ）、すなわち、最近のボーラス送達後に体内に残っている、依然として活性なインスリンの量。このパラメータは、ボーラス送達の間の時間間隔が短い（たとえば、５時間未満）状況において該当し得る。
・カーボ吸収に影響し、したがって血液中の糖上昇率に影響するパラメータ。たとえばグリセミック指数（ＧＩ）、脂肪または繊維含量など。
【０００７】
[0007]インスリン感度（ＩＳ）は、たとえば、即効性インスリン（たとえば、Ｈｕｍａｌｏｇ（登録商標）、Ｎｏｖｏｌｏｇ（登録商標））を使用する１型糖尿病患者によって一般に使われるいわゆる「２２００から１６００ルール」に従って決定することができる。ユーザのＩＳは、ある一定のルールに対応する値を、即効性インスリンの１日の総投与量で割ることによって決定することができる。たとえば、１日の総インスリン投与量が４０単位であり、「１８００」ルールが使われる場合、インスリン感度係数は、１８００割る４０＝４５ｍｇ／ｄｌ／単位となる。図１は、様々なルール（Ｊｏｈｎ  ＷａｌｓｈによるＵｓｉｎｇ  Ｉｎｓｕｌｉｎ（著作権）２００３から適用）に対応する、１インスリン単位あたりのポイント低下として表されるインスリン感度を示す。
【０００８】
[0008]カーボ対インスリン比（ＣＩＲ）は、たとえば、即効性インスリン（たとえば、Ｈｕｍａｌｏｇ（登録商標）、ＮｏｖｏＬｏｇ（登録商標））を使用する１型糖尿病患者によって一般に使われるいわゆる「４５０から５００ルール」に従って決定することができる。ユーザＣＩＲは、一定のルールに対応する値を、即効性インスリンの１日の総投与量で割ることによって決定することができる。たとえば、１日の総インスリン投与量が４０単位であり、４５０ルールが使われる場合、カーボ対インスリン比（ＣＩＲ）は、４５０割る４０＝１１グラムとなる。図２は、様々なルール（Ｕｓｉｎｇ  Ｉｎｓｕｌｉｎ（著作権）２００３から適用）に従って、１インスリン単位（ＣＩＲ）によって調節することができるカーボ量（グラム）の例を挙げる。
【０００９】
[0009]剰余インスリンは、即効性インスリン（たとえば、Ｈｕｍａｌｏｇ（登録商標）、ＮｏｖｏＬｏｇ（登録商標））の薬物速度論に従って決定することができる。図３は、前回の投与ボーラスから１時間から５時間後の剰余インスリン量（単位）の一例を示す（Ｕｓｉｎｇ  Ｉｎｓｕｌｉｎ（著作権）２００３から適用）。
【００１０】
[0010]送達されるべきボーラス中のインスリンの量は、Ｍｅｄｔｒｏｎｉｃ  ＭｉｎｉＭｅｄに譲渡された米国特許第６，９３６，０２９号に記載されるように、上記パラメータを含む式を使った算出によって確立することができ、またはその開示内容全体が参照によって組み込まれている、本願の権利者が所有する同時係属の米国特許出願第１２／０５１，４００号及び国際特許出願第ＰＣＴ／ＩＬ２００８／０００３８０号に記載されるように、所望のボーラス投与量の選択のための方法によって選択することもできる。
【００１１】
[0011]ボーラス送達パターンは、ボーラス投与量が時間をかけて投与される１つの速度または複数の速度を指す。摂取物のグリセミック指数（ＧＩ）または脂肪含量は、カーボ吸収に、したがってボーラス送達時間及びパターンに影響する。ＧＩは、食品に含まれる炭水化物が、どのように血中ブドウ糖レベルに影響するかに従って、炭水化物に関する序列体系として表現することができる。ブドウ糖、すなわち最も即効性のある炭水化物は１００の値を与えられ、他のカーボは、その値に相対してランク付けされる。食品の熟度、調理時間、繊維、及び脂肪含量がすべて、ＧＩに影響を与え得る。低ＧＩ食品は、比較的ゆっくりと確実にブドウ糖を放出する。高ＧＩ食品は、血中ブドウ糖の比較的急な上昇を引き起こす。たとえば、図４は、様々なタイプの食品及びそのＧＩを示す。たとえば、高グリセミック指数をもつ炭水化物負荷を含む食事（たとえば、レモネード、白パン）は、消化管を通して素早く吸収される炭水化物を中和するために、インスリンが即座に送達されることを要求する。低グリセミック指数をもつ炭水化物負荷を含む食事（たとえば、牛乳、アイスクリーム）は、ゆっくりと吸収される炭水化物を中和するために、インスリンが長期間かけて送達されることを要求する。
【００１２】
[0012]現在、ほとんどのインスリンポンプは、ボーラス送達パターンをユーザにプログラムさせる。最も一般的な送達パターンは、以下の通りである。
１．即時型（「定期」、「通常」）ボーラス：全ボーラス投与量が最速ポンプ送達速度で送達される。
２．持続型ボーラス：全ボーラスが、長期間（たとえば、３０分間から８時間）かけて一定の速度で送達される。
３．組合せボーラス（「デュアルウェーブ」）：ボーラス投与量の一部が即時型ボーラスとして送達され、それ以外のボーラス投与量は持続型ボーラスとして送達される。一般に、即時型ボーラス部分と持続型ボーラス部分との間の比（百分率）は、たとえば、Ｓｍｉｔｈｓ  Ｍｅｄｉｃａｌ  ＭＤ（旧名Ｄｅｌｔｅｃ  Ｍｅｄｉｃａｌ）に譲渡された米国特許第６，８５２，１０４号に記載されるように、患者によって選択することができる。
【００１３】
[0013]現在の装置では、ボーラス送達パターンを調整するために、ユーザが、ボーラス送達の継続期間（持続型ボーラス及び組合せボーラスの延長部分用）、即時型ボーラス部分と持続型ボーラス部分（組合せボーラス用）との比というパラメータの１つまたは複数をプログラムすることができる。実際には、ボーラスパターンについてのユーザの決断は任意であり、単に直観に基づく。ボーラスパターンをプログラムする手段を含む従来のポンプに関連したそれ以外の欠点は、以下の通りである。
・ユーザフレンドリでないいくつかのディスプレイのナビゲーションを要求するので、ユーザインタフェースを複雑にするデータ入力の必要性。
・年少の子供にとっての問題点は、英数字パラメータの読解及びタイプ入力に関連するので、データ入力を習得することであり得る。
【００１４】
[0014]本明細書において使われる用語に対して、以下の定義が与えられる。
・「ＧＩ」（グリセミック指数）は、炭水化物が血中ブドウ糖レベルにどのように影響するかに基づく、炭水化物に関する序列体系を指す。
・「ＧＬ」（グリセミック負荷」）は、食事におけるカーボの量に、食事のＧＩを乗算し、１００で割ったものを指す。
・「ＣＩＲ」（炭水化物対インスリン比）は、１インスリン単位によって調節される炭水化物の量を指す。
・「ＩＳ」（インスリン感度）は、１インスリン単位によって低下する血中ブドウ糖値の量を指す。
・「投与量」または「ボーラス投与量」は、食事中の炭水化物を中和するために投与されるインスリンの量（たとえば、６単位（６Ｕ））を指す。
・「送達パターン」は、投与された投与量の時間をかける送達のパターンを指す（たとえば、６Ｕの投与量は、２時間で４Ｕを、さらに４時間で２Ｕを送達することができる）。
・「ボーラス」は、ボーラス投与量及び送達パターンの組合せを指す。
・「グリッド」または「ボーラスグリッド」は、セルから構築される２次元以上の行列を指す。（たとえば、３Ｄ行列は、カーボを示すＸ軸、血中ブドウ糖を示すＹ軸、グリセミック指数を示すＺ軸を含む）各グリッドは、ＣＩＲ、ＩＳ、及び目標血中ブドウ糖（ＴＢＧ）のようなパラメータの異なる組合せに専用である。
・「セル」は、グリッドを成す多くのユニットの１つを指す。各セルは、グリッドの相異なる軸に示されるパラメータの組合せ（たとえば、ＧＩ、ＢＧ、及びカーボ負荷の範囲の組合せ）を表す。
【発明の概要】
【課題を解決するための手段】
【００１５】
[0015]選択された薬物投与量及び薬物送達パターンに従う、薬物送達のための技術、システム及び装置に関する本開示の実施形態が記載される。たとえば、いくつかの実施形態によると、１つまたは複数のボーラス構成の選択のためのユーザインタフェースのいくつかの実施形態を含む薬物送達システム及び装置が提供される。さらに、１つまたは複数のユーザインタフェース要素が含まれてよく、各ユーザインタフェース要素は、ボーラス構成に対応する。さらに、いくつかの実施形態では、各要素は、少なくとも３つの次元に対応する多次元空間内に空間的に位置づけられ、いくつかの実施形態では、要素の位置は各次元に対応する。このような実施形態では、各ボーラス構成は、ボーラス投与量及びボーラス送達パターンに対応し得る。さらに、各ボーラス投与量及び／または各ボーラス送達パターンは、予め決定することができる。たとえば、送達される薬物のいくつかの実施形態はインスリンでよく、薬物送達装置はインスリンポンプでよい。多次元空間の次元は、たとえば、現在の血中ブドウ糖レベル、摂取物の予想または現在の炭水化物負荷、摂取物のグリセミック指数、及び摂取物のグリセミック負荷の少なくとも１つまたは複数、好ましくは少なくとも３つを表し得る。ボーラス投与量は、摂取物の炭水化物負荷及びユーザの血中ブドウ糖レベルに従って推奨することができ、ボーラス送達パターンは、摂取物の含量（たとえば、ＧＩ、繊維含量、脂肪含量）に従って推奨することができる。ボーラス投与量及び／または送達パターンはさらに、１つまたは複数の生理的パラメータに従ってもよい。いくつかの実施形態では、生理的パラメータは、一期間あたりのユーザの心拍数、通気度、体温、インスリン吸収特性（たとえば、速度）、肉体的活動（たとえば、運動、歩調の少なくとも１つに対応し得る。
【００１６】
[0016]いくつかの実施形態では、送達パターンは、摂取物のＧＩに従って推奨することができる。ボーラス送達パターンは、補正ボーラスに従って推奨することができる。いくつかの実施形態では、次元の測定値は、質的記述的パラメータとして表され得る。質的記述的パラメータは、１つまたは複数の範囲を含み得る。こうした範囲は、たとえば、小、中及び大の群から選択することができる。
【００１７】
[0017]薬物送達システム及び／または装置は、血糖計をさらに備え得る。薬物送達装置のユーザインタフェースは、遠隔制御ユニットによりシステムで実装することができ、薬物は、皮膚固定型パッチユニットを用いて送達することができる。血糖計は、装置の遠隔制御ユニット内及び／または装置の皮膚固定型パッチユニット内に配置することができる。薬物送達装置は、連続ブドウ糖モニタも備え得る。連続ブドウ糖モニタは、装置のパッチユニット内、及び／または遠隔制御ユニット内に配置することができる（いくつかの実施形態では、連続ブドウ糖モニタの構成要素が、遠隔操作装置内に設けられ得る）。
【００１８】
[0018]いくつかの実施形態では、インスリンボーラス送達パターンは、食品摂取の脂肪含量に応じて決定することができる。インスリンボーラス送達パターンは、食品摂取の繊維含量に応じて確立することもできる。いくつかの実施形態では、ボーラス投与量は、所定の最大オーバーシュート及び最小アンダーシュート基準を超えない。最大オーバーシュート及び最小アンダーシュート基準は、ユーザによって定義することができる。
【００１９】
[0019]いくつかの実施形態では、薬物送達システム及び／または装置は、２次元の空間内に位置づけられたユーザインタフェース要素を表示する第２のユーザインタフェースも備えてよく、２次元の空間の２つの次元は、多次元空間の少なくとも２つの次元に対応する。いくつかの実施形態では、薬物送達装置は、使い捨て部分及び再利用可能部分も備え得る。送達装置は、パッチユニットの切断及び再接続を可能にする皮膚固定型クレードルユニットを備え得る。
【図面の簡単な説明】
【００２０】
【図１】[0020]様々なルールに従ってインスリン感度（１インスリン単位あたりのポイント低下）を算出するテーブルを示す図である。
【図２】[0021]様々なルールに従ってＣＩＲ（１インスリン単位によって調節されるカーボのグラム数）を算出するテーブルを示す図である。
【図３】[0022]前回の投与ボーラスから１時間から５時間後の剰余インスリン（単位で表す）を算出するテーブルを示す図である。
【図４−１】[0023]血中ブドウ糖レベルにどのように影響を及ぼすかに基づく、様々なタイプの食品及びＧＩ序列体系を示す図表である。
【図４−２】[0023]血中ブドウ糖レベルにどのように影響を及ぼすかに基づく、様々なタイプの食品及びＧＩ序列体系を示す図表である。
【図５】[0024]本開示のいくつかの実施形態による３次元グリッドの一例を示す図である。炭水化物摂取量範囲はグリッドの「ｘ」軸に提示され、血中ブドウ糖レベル（ＢＧ）はグリッドの「ｙ」軸に提示され、ＧＩレベルはグリッドの「ｚ」軸に提示される。
【図６】[0025]本開示のいくつかの実施形態による、高ＢＧ範囲ならびにＧＩ及びカーボ負荷の様々な値に対して選択される送達パターンを示す２Ｄボーラスグリッドの一例を示す図である。
【図７】[0026]本開示のいくつかの実施形態による、インスリン分注ユニットとボーラスセレクタが取り付けられ得る遠隔制御ユニットとを備えるインスリン注入システムの例を示す図である。
【図８】[0027]本開示のいくつかの実施形態による、推奨インスリンボーラス（投薬量及び送達パターン）を選択する方法のいくつかの実施形態を示すフローチャートである。
【図９】[0028]本開示のいくつかの実施形態による、推奨インスリンボーラスを選択する方法の別の例を示すフローチャートである。
【図１０】[0029]本開示のいくつかの実施形態による、カーボ負荷、ＧＩ、及び現在の血中ブドウ糖レベルに対応するインスリンボーラス投薬量及び送達パターンを有する３次元ボーラスグリッドの例を示す図である。
【図１１−１】[0030]図１１ａ乃び図１１ｂは、いくつかの実施形態による、２Ｄチャートをもたらす、カーボ負荷、ＧＩ、及び現在の血中ブドウ糖レベルに対応するインスリンボーラス投薬量及び送達パターンを有する３次元ボーラスグリッドの「２次元」スライスを示す図である。
【図１１−２】[0030]図１１ｃ乃び図１１ｄは、いくつかの実施形態による、２Ｄチャートをもたらす、カーボ負荷、ＧＩ、及び現在の血中ブドウ糖レベルに対応するインスリンボーラス投薬量及び送達パターンを有する３次元ボーラスグリッドの「２次元」スライスを示す図である。
【図１２】[0031]本開示のいくつかの実施形態による、一連のウィンドウ／ディスプレイフローを含むボーラスセレクタ・ユーザインタフェースの一例を示す図である。
【図１３】[0032]図１３ａ及び図１３ｂは、本開示のいくつかの実施形態による、摂取物のカーボ負荷及び摂取物のＧＩがボーラス選択に使われる、たとえば、図に示すウィンドウを含むボーラスセレクタ・ユーザインタフェースの別の例を示す図である。
【図１４】[0033]本開示のいくつかの実施形態による、摂取物のカーボ負荷及び摂取物のＧＩが、たとえばボーラス選択に使われる、ボーラスセレクタ・ユーザインタフェースの別の例を示す図である。
【図１５】[0034]本開示のいくつかの実施形態による、摂取物のカーボ負荷及び摂取物のＧＩがボーラス選択に使われる、ボーラスセレクタ・ユーザインタフェースのさらに別の例を示す図である。
【図１６】[0035]図１６ａ乃至図１６ｃは、本開示のいくつかの実施形態による、ボーラスセレクタに血中ブドウ糖（ＢＧ）読取り値を与える血中ブドウ糖モニタを含むインスリン注入システム／装置のいくつかの例を示す図である。
【図１７】[0036]図１７ａ及び図１７ｂは、本開示のいくつかの実施形態による、ボーラスセレクタに血中ブドウ糖読取り値（ＢＧ）を与える様々な皮下ブドウ糖モニタを含むインスリン注入システム／装置の例を示す図である。
【図１８】[0037]いくつかの実施形態において、ボーラスセレクタによって使うことができるデータ獲得モードを示すブロック図である。
【図１９】[0038]本開示のいくつかの実施形態による、遠隔制御ユニット及び／またはＰＣ内に配置することができるボーラスセレクタの別の実施形態を示す図である。
【図２０】[0039]図２０ａ乃至図２０ｃは、本開示のいくつかの実施形態による、３Ｄボーラスグリッドから導出される２Ｄスライスの例を、その対応最小アンダーシュート及び最大オーバーシュートＢＧ値とともに示す図である。
【図２１】[0040]本開示のいくつかの実施形態による、ボーラスセレクタによってユーザに推奨され得る複数のボーラス送達パターンの例を示す図である。
【発明を実施するための形態】
【００２１】
[0041]たとえば、薬物ボーラス投与量及びボーラス送達パターンを選択するシステム、装置及び方法が、本明細書において提供される。何らかの実施形態では、この装置は、１つまたは複数のボーラス構成の選択用のユーザインタフェースを備え得る。ボーラス構成は、（たとえば）１つまたは複数のユーザインタフェース要素を用いて選択することができる。
【００２２】
[0042]いくつかの実施形態では、各ユーザインタフェース要素は、ボーラス構成に対応し得る。たとえば、各ユーザインタフェース要素は、多次元空間内に空間的に位置づけることができる。いくつかの実施形態では、多次元空間は、少なくとも３つの次元に対応する。多次元空間内でのユーザインタフェース要素の空間的位置は、各次元に対応し得る。
【００２３】
[0043]いくつかの実施形態では、摂取物のカーボ負荷、摂取物のＧＩ及びユーザのＢＧの各組合せ向けに予め決定される所定のインスリンボーラスを推奨するのに、セルの３次元行列を用いることができる。この実装形態では、各セルは、ユーザインタフェース要素を表すことができ、（たとえばボーラス構成に対応することができる。こうしたボーラス構成は、予め決定し、ボーラスセレクタのメモリに格納することができる。いくつかの実施形態では、こうしたボーラス構成は、製造元、親、医師及び／またはユーザによって予め決定することができる。所定のデータベースは、ボーラスセレクタによって、「ボーラスグリッド」と呼ばれる３Ｄグリッドに並べられた複数のセルとして図表的に表示することができる。
【００２４】
[0044]図５は、ボーラスセレクタの３次元グリッドの簡略化した例を示す。炭水化物摂取量範囲はグリッドの「ｘ」軸に提示され、血中ブドウ糖レベル（ＢＧ）はグリッドの「ｙ」軸に提示され、ＧＩレベルはグリッドの「ｚ」軸に提示される。たとえば、吸収を決定する摂取物の特性を表す他の任意のパラメータ（たとえば、脂肪含量、繊維含量、調理時間）を、グリッドの「ｚ」軸に提示してもよい。ボーラスグリッドはまた、ユーザに、（たとえば）ＢＧの範囲、摂取物の炭水化物負荷、及び摂取物のＧＩの組合せに依存して、ボーラスグリッドの中からセルを選択させる。
【００２５】
[0045]したがって、いくつかの実施形態では、ボーラスの投与量は、インスリン投与量の値を予め定義する炭水化物負荷及びＢＧの所定の組合せ（「グリッド」）から選択することができる。たとえば、グリッドの「ｘ」軸（カーボ負荷）と「ｙ」（ＢＧ）軸の交差は、所定のボーラス投与量に対応し得る。
【００２６】
[0046]ボーラスの送達パターンは、食事含量に従って選択することができる。たとえば、食事のグリセミック指数である。したがって、たとえば、ボーラス投与量（「ｘ」軸と「ｙ」軸の交差から導出される）との「ｚ」軸（ＧＩ）の交差は、最終選択ボーラス、すなわち投与量及び送達パターンに対応する。以下のリストは、送達パターンのいくつかの例を挙げる。
１  全投与量が即座に送達される。
２  投与量の一部は即座に、それ以外は２時間かけて送達される。
３  投与量の一部は即座に、それ以外は４時間かけて送達される。
４  全投与量が６時間かけて送達される。
【００２７】
[0047]いくつかの実施形態では、ユーザは、たとえば、血中ブドウ糖（ＢＧ）値の所与の範囲（たとえば、ＢＧ＜１００、１００＜ＢＧ＜２００、２００＜ＢＧ＜３００、３００＜ＢＧ）、炭水化物負荷の範囲（たとえば、カーボ＜４５、４５＜カーボ＜１０５、カーボ＜１０５）及びグリセミック負荷の所与の範囲（たとえば、ＧＬ＜１０、１１＜ＧＬ＜１９、ＧＬ＞２０）に対応する、インスリンボーラスの所定の３次元グリッドからインスリンボーラス投与量を選択することもできる。送達パターンは、たとえば、摂取物のグリセミック負荷に従って決定することができる。
【００２８】
[0048]いくつかの実施形態によると、３次元ボーラスグリッドは、ＢＧ範囲、カーボ負荷範囲及びＧＩ範囲を含み得る。たとえば、ＧＬは、選択ＧＩ範囲及びカーボ負荷範囲に従って自動的に算出することができる。送達パターンは続いて、たとえば算出ＧＬに従って選択することができる。ＧＬは、ＧＩ及びカーボ負荷の各組合せごとに予め決定することもできる。
【００２９】
[0049]いくつかの実施形態によると、カーボ負荷範囲は、グリッドの軸上に、グラムではなくサービングで提示することができる。炭水化物食品の１サービングは通常、相異なる値ではなく、１５グラムの炭水化物を含む（たとえば、サービング＜３、３＜サービング＜７、サービング＞７）。
【００３０】
[0050]いくつかの実施形態では、ボーラスセレクタは、ＢＧレベルの範囲を選択するのではなく、血中ブドウ糖の数値をユーザが挿入するための機能を含み得る。ＢＧ数値はしたがって、ボーラスセレクタによって、当該ＢＧレベル範囲とみなされ得る。たとえば、ユーザが２２１ｍｇ／ｄＬのＢＧを挿入した場合、ボーラスセレクタは、当該ＢＧ範囲、すなわち２１０ｍｇ／ｄＬから２３０ｍｇ／ｄＬに数値を自動的に割り当てる。
【００３１】
[0051]いくつかの実施形態では、選択された現在のＢＧ範囲及び炭水化物負荷摂取範囲に対応する所定のインスリン投与量は、ユーザのＣＩＲ、ＩＳ、及び目標血中ブドウ糖（ＴＢＧ）を一定の係数として考慮する公式に従って予め決定することができる。ボーラスセレクタは、複数のグリッドを備えてよく、各グリッドは、ＩＳ、ＣＩＲ、及びＴＢＧを含み得るユーザ固有パラメータの異なる組合せに対応し得る。
【００３２】
[0052]複数の３Ｄボーラスグリッドが、ボーラスセレクタのメモリに格納されてよく、各グリッドは、ＩＳ、ＣＩＲ、及びＴＢＧの異なる組合せに対応し得る。このようにすることで、ボーラスグリッド投与量は、ユーザの固有ＣＩＲ、ＩＳ、及びＴＢＧによって規定された、ユーザ個々のインスリン必要量に調整される。ボーラスセレクタ中の各グリッドは、ＣＩＲ、ＩＳ、及びＴＢＧの異なる組合せに合わせて構成することができる。ユーザは、適切なグリッドが取り出されるようにするために、ボーラスセレクタを最初にセットするときに、ＴＢＧ、ＣＩＲ、及びＩＳ値を挿入することができる。
【００３３】
[0053]あるいは、いくつかの実施形態によると、ユーザは、「ルール」及び１日の総投与量（ＴＤＤ）を与えることができ、ＣＩＲ及びＩＳ値が続いて取得され得る（図１、２に示すように）。たとえば、ユーザは、初期セッティング中に以下の情報を与えることができる。
ＣＩＲ向け「ルール」＝５００
ＴＤＤ＝２５Ｕ
ＩＳ向け「ルール」＝２０００
[0054]上で提示した値の例及び図１、図２のテーブルを用いると、ＣＩＲ値は２０ｇ／Ｕ（ＣＩＲ＝５００／２５）であり、ＩＳ値は８０ｍｇ／ｄＬ／Ｕ（２０００／２５）である。
【００３４】
[0055]いくつかの実施形態では、最後の食事から経過した時間及び前回のボーラス投与の量などの追加パラメータが、最終ボーラス投与量を推奨するために考慮され得る。たとえば、剰余インスリンの量は、ボーラスセレクタによって推奨されるインスリン投与量から差し引いてよく、その結果、推奨ボーラス投与量が低くなる（たとえば、ユーザが、前回のボーラスから２Ｕの剰余インスリンをもち、ボーラスセレクタグリッドに従って、予定された食事のバランスをとるのに、４Ｕのインスリン投与量が要求される場合、最終的な推奨は４−２＝２Ｕとなる）。
【００３５】
[0056]いくつかの実施形態では、推奨ボーラス（投与量及び送達パターン）は、表示される３次元グラフからユーザによって選択することができる。このグラフにおいて、たとえば、１つの軸は現在のＢＧレベルの範囲を示し、１つの軸は炭水化物負荷の範囲を示し、第３の軸はＧＩまたはＧＬの範囲を示し得る。
【００３６】
[0057]いくつかの実施形態では、推奨ボーラス投与量は、少なくとも現在のＢＧレベルの範囲、炭水化物負荷の範囲、及びＧＩまたはＧＬの範囲が入力されると、ボーラスセレクタによって自動的に選択され得る。つまり、ユーザによって入力されたパラメータの交差であるグリッドのセルが、自動的に選択される。
【００３７】
[0058]いくつかの実施形態では、ユーザは、少なくとも現在のＢＧレベルの範囲、炭水化物負荷の範囲、及びＧＩまたはＧＬの範囲が入力されたときに自動的に選択され推奨されたボーラスを受諾すればよく、それに従ってボーラスを送達すればよい。さらに、自動選択ボーラスは、ユーザインタフェースに通知を行うことなく送達することができる。このような実施形態では、ユーザは、ボーラス投与に先立って通知を受けることができ、送達を一時停止しても、代替投与量及び／または送達パターンを選択してもよい。
【００３８】
[0059]いくつかの実施形態では、ボーラスセレクタは、「ｎ」個の次元からなり得る。たとえば、各次元は、送達されるべき最適ボーラスに影響する独立パラメータを表し得る。ボーラスの投与量及び送達パターンはしたがって、「ｎ」次元の所定のグリッドから選択することができる。たとえば、４次元のグリッドは、ユーザのＢＧを表す「ｖ」軸、炭水化物負荷を表す「ｗ」軸、摂取物のＧＩを表す「ｘ」軸、摂取物の脂肪含量を表す「ｙ」軸、及び摂取物の繊維含量を表す「ｚ」軸を含み得る。４つすべての軸の交差は、最終選択ボーラス、すなわち投与量及び送達パターンに対応する。
【００３９】
[0060]本開示によるいくつかの実施形態は、体内に治療流体（すなわち、インスリン）を送達することができる可搬型薬物送達システム／装置を開示する。いくつかの実施形態では、このシステム／装置は、身体分析物レベル（すなわち、ブドウ糖）を監視することもできる。薬物送達システムは、調剤パッチユニットを備えてよく、いくつかの実施形態では、遠隔制御ユニットと組み合わせることができ、遠隔制御ユニットは、調剤パッチユニットと通信し、治療流体送達、ユーザ入力及びデータ獲得のプログラミングを可能にする。別の実施形態では、プログラミングは、調剤パッチユニット上に配置されたボタンを操作することによって手動で実施することができる。
【００４０】
[0061]調剤パッチユニットは、使い捨て部分及び再利用可能部分という２つの部分からなり得る。使い捨て部分は、貯蔵器、出口ポート、及び他の比較的高価でない構成要素を含み得る。再利用可能部分は、電子部品（ＰＣＢ、プロセッサなど）、駆動機構（たとえば、モータ、ギア）及び他の比較的高価な構成要素（たとえば、閉塞センサ）を含み得る。皮膚に接着し、パッチユニット（分注ユニットまたは調剤パッチユニットと呼ばれることもある）の切断及び再接続を患者の裁量で可能にする要素（たとえば、ほぼ平らなシート状の素材）であるクレードルユニットが設けられてもよい。皮膚にクレードルユニットを付着した後、クレードルユニット内の専用の通路を通って皮下区画にカニューレが挿入され得る。記載する薬物送達装置は、適切なボーラス投与量及び送達パターンの選択を可能にするソフトウェア特徴を与えられ得る。
【００４１】
[0062]いくつかの実施形態では、薬物送達装置は、所定の複数のインスリンボーラス投与量及びボーラス送達パターンから適切なインスリンボーラスを選択する、簡略化された使いやすい方法を利用することができる。たとえば、このような方法は、適切なボーラスの選択に専用の装置とともに用いることもでき、血糖計、連続ブドウ糖モニタ、注入ポンプ、送達ペン、ＰＣまたは糖尿病患者によって使われる他の任意の装置内で実装することもできる。
【００４２】
[0063]いくつかの実施形態では、薬物送達システム／装置は、体内ブドウ糖レベルを継続的に監視することができ、付随的にインスリンボーラスを送達することができる。本開示のいくつかの実施形態は、ボーラス選択方法に従ってインスリンボーラスを送達することができる小型の皮膚固定型インスリン調剤パッチを備える装置を提供し得る。
【００４３】
[0064]いくつかの実施形態は、皮膚固定型調剤パッチユニットを含む装置及びインスリンボーラスを選択するための方法を提供し得る。調剤パッチユニットは、皮膚に直接、またはクレードルユニットにより付着させることができる。いくつかの実施形態は、切断され再接続され得る調剤パッチユニットを有する装置及びインスリンボーラスを選択するための方法を提供する。いくつかの実施形態は、インスリンを継続的に調剤し、体内ブドウ糖濃度レベルを監視することができる小型の皮膚固定型パッチを備える装置及びインスリンボーラスを選択するための方法を提供する。いくつかの実施形態では、パッチは、接着物質またはストラップを用いて固定することができる。
【００４４】
[0065]いくつかの実施形態は、監視ブドウ糖レベルに従ってインスリンを調剤する装置（半閉ループシステム）及びインスリンボーラスを選択するための方法を提供する。いくつかの実施形態では、この装置は、遠隔制御することができるインスリン調剤パッチユニット及びインスリンボーラスを選択するための方法を備え得る。
【００４５】
[0066]いくつかの実施形態では、ボーラスを選択する方法（１つまたは複数）は、現在の血中ブドウ糖レベル（ＢＧ）、摂取物の炭水化物負荷（カーボ）、摂取物のグリセミック指数（ＧＩ）、摂取物のグリセミック負荷（ＧＬ）というパラメータの少なくとも１つを利用することができる。
【００４６】
[0067]いくつかの実施形態では、インスリンボーラス送達のための方法は、ボーラス投与量の所定の値のデータベースからの最適投与量の選択に、及び所定のボーラス送達パターンのデータベースからの最適ボーラス送達パターンの選択に基づき得る。
【００４７】
[0068]一実施形態では、ユーザは、血中ブドウ糖（ＢＧ）値の範囲（たとえば、ＢＧ＜１００、ｌ００＜ＢＧ＜２００、２００＜ＢＧ＜３００、３００＜ＢＧ）、炭水化物負荷の範囲（たとえば、カーボ＜４５、４５＜カーボ＜１０５、カーボ＜１０５）及びグリセミック指数の範囲（たとえば、ＧＩ＜５５、５６＜ＧＩ＜６９、ＧＩ＞７０）に対応する、インスリンボーラスの所定の３次元グリッドからインスリンボーラス投与量を選択することができる。
【００４８】
[0069]いくつかの例によると、血中ブドウ糖レベルの範囲、摂取物のグリセミック指数、及び摂取物の炭水化物負荷は、質的記述的パラメータ（ＱＤＰ）（たとえば、高／中／低ＢＧ、高／中間／低ＧＩ、小／中／大カーボ負荷）としてグリッドの軸に提示される。
【００４９】
[0070]いくつかの実施形態では、ボーラス選択方法は、血中ブドウ糖検知機器（たとえば、血糖計）が遠隔制御ユニット内に統合され得る（また、たとえばパッチユニットに統合してもよい）、インスリン調剤パッチユニット及び遠隔制御ユニットを備えるインスリン注入システム内で実装することができる。このような一実施形態において、調剤パッチユニットは、２つの部分、すなわちすべての電子要素及び駆動要素を含み得る再利用可能部分ならびにインスリン貯蔵器及び電源を含み得る使い捨て部分からなり得る。血中ブドウ糖検知機器（たとえば、血糖計）は、代替的に、装置のパッチユニットの再利用可能部分に統合してもよい。
【００５０】
[0071]いくつかの実施形態では、血糖計などの血中ブドウ糖検知機器は、ブドウ糖濃度の測定に専用でよい。たとえば、この機器は、その開示内容全体が参照によって組み込まれている、本願の権利者が所有する同時係属の米国特許出願第１１／７０６，６０６号、第１１／９６３，４８１号、国際特許出願第ＰＣＴ／ＩＬ２００７／００１５７９号及び第ＰＣＴ／ＩＬ２００８／００１５２１号において開示されるように、「スタンドアロン」装置、血液検査用紙を受け取るリモートコントロール内の要素、カニューレ上に配置された電極など、分注ユニットのハウジング内のセンサなどとして実装することができる。また、連続ブドウ糖モニタ（ＣＧＭ）として実装することもできる。この機器は、たとえば電気機械手段（たとえば、電気機械センサ、電極、酵素、ナノ粒子）、光学手段（たとえば、光学センサ、光ファイバー、反射器、鏡、レンズ）、音響手段など、様々な技術を用いることができる。この機器は、血液、間質液（「ＩＳＦ」）または患者の体の他の当該任意の区画中のブドウ糖レベルを測定することができる。
【００５１】
[0072]ボーラスセレクタは、インスリン注入システムの遠隔制御ユニット内で実装することができる。ボーラスセレクタは、システムの装置の調剤パッチユニットの再利用可能部分内で実装することもできる。ボーラスセレクタは、装置の調剤パッチユニットの再利用可能部分及びシステムの遠隔制御ユニット両方において実装することができる。
【００５２】
[0073]一実施形態では、ボーラス選択方法は、体内ブドウ糖レベルを継続的に監視することができ、付随的に体内にインスリンを送達することができる調剤パッチユニット内で実装することができる。調剤パッチユニットは、再利用可能部分及び使い捨て部分を備え得る。インスリン調剤及びブドウ糖検知能力は、半閉ループシステム内に組み合わせることができ、このシステムでは、プロセッサコントローラ機器が検知ブドウ糖濃度に従って基礎インスリンの調剤を規定する。食事ボーラスは、ボーラスセレクタによって制御することができる。
【００５３】
[0074]ボーラスセレクタは、システムの遠隔制御ユニット内に実装することができ、かつ／または装置の調剤パッチユニットの再利用可能部分内に実装することもできる。いくつかの実施形態では、ボーラス選択方法は、血中ブドウ糖を検知する装置（たとえば、血糖計）または皮下間質液ブドウ糖を継続的に検知する装置内に、または他の任意のブドウ糖検知装置（すなわち、非侵襲性ブドウ糖センサ、イオン導入式センサなど）用に実装することができる。
【００５４】
[0075]いくつかの実施形態では、インスリン投与の送達パターンは、グリセミック指数（ＧＩ）または摂取物の炭水化物のグリセミック指数に従って、ユーザによって選択することができる。インスリン投与の送達パターンは、摂取物に含まれる炭水化物のグリセミック負荷（ＧＬ）に従って、ユーザによって選択することもできる。食事のＧＬは、ＧＬ＝（ＧＩ＊カーボ負荷）／１００と定義される。インスリン効果持続期間（ＤＩＡ）は、インスリン投与量の規模に影響される可能性があり、より高い投与量は、より長いＤＩＡと相関性がある。したがって、食事の炭水化物負荷を反映する投与量の規模も、送達パターンに影響するはずである（長いＤＩＡは、より長い送達プロファイルを要求し、その逆も成り立つ）。
【００５５】
[0076]インスリン投与の送達パターンは代替的には、脂肪含量、繊維含量、または調理時間など、摂取物の追加特性に従って、ユーザによって選択することができる。たとえば、高脂肪の食事は、消化管からのブドウ糖の吸収を遅くするので、ブドウ糖吸収速度を調和するのに、比較的長いボーラス送達パターンを要求することになる。
【００５６】
[0077]図６は、高ＢＧ範囲ならびにＧＩ及びカーボ負荷の様々な値に対して選択される送達パターンを示す２Ｄボーラスグリッドの一例を示す。ユーザは、ＢＧ数値（ボーラスセレクタによって、自動的に当該ＢＧレベル範囲とみなされ得る）を挿入することも、ＢＧ範囲を選択することもでき、続いて、図に示す２Ｄ行列がユーザに表示され得る。たとえば、ユーザが測定したＢＧが２２５の場合、高ＢＧに対応する所定のボーラスグリッド行列が表示され得る。
【００５７】
[0078]図７は、ユーザの皮膚５に接着することができる調剤パッチユニット（これ以降、「パッチユニット」）１０１０と、調剤パッチユニット１０１０と通信し、そうすることによってプログラミング、ユーザ入力及びデータ獲得を可能にする遠隔制御ユニット１００８とを備えるインスリン注入装置１０００を示す。パッチユニット１０１０は、患者へのインスリンの送達を可能にするように皮膚５を貫通し得るカニューレ６に取外し可能に接続することができる。パッチユニット１０１０は、ユーザの皮膚５に接着されるほぼ平らなシートとして構成され得る専用のクレードルユニット２０に付着させることができる。クレードルユニットは、パッチユニット１０１０の接続／切断を可能にし得る。この構成の例示的な実施形態は、その開示内容全体が参照によって本明細書に組み込まれている、本願の権利者が所有する同時係属の米国特許出願第１２／００４，８３７号及び国際特許出願第ＰＣＴ／ＩＬ０７／００１５７８号で論じられている。
【００５８】
[0079]手動入力は、調剤パッチユニット１０１０上に配置された１つまたは複数のボタン／スイッチ１０１１によって遂行され得る。調剤パッチユニット１０１０は、その開示内容全体が参照によって組み込まれている、本願の権利者が所有する同時係属の米国特許出願第１１／３９７，１１５号及び国際特許出願第ＰＣＴ／ＩＬ２００９／０００３８８号に示すように、再利用可能部分１及び使い捨て部分２を備える１つのハウジングまたは２つのハウジングを付着させられ得る。遠隔制御ユニット１００８は、ソフトウェア特徴として実装することができるボーラスセレクタ２０００を含み得る。遠隔制御ユニット１００８は、プロセッサ２０１０と、メモリ２０２０と、ボタン、スイッチ、タッチスクリーン、音声／可聴コマンド装置／受信機などの入力手段２０３０と、ディスプレイ２０４０と、たとえば、可聴手段（たとえば、ブザー）及び／または振動手段（たとえば、バイブレータ）などの他の指示手段とを備え得る。入力手段２０３０は、ボーラスセレクタ２０００用及び調剤パッチユニット１０１０プログラミング用に提供され得る。
【００５９】
[0080]インスリンボーラス投与量に対する選択肢は、ディスプレイ２０４０上にボーラスセレクタ２０００によって、所定の推奨ボーラス投薬量及び所定の推奨送達パターンを含むセルをもつ３次元グリッドとして提供することができる。適切なセル及び対応するインスリン投与量及び送達パターンは、たとえば、血中ブドウ糖、カーボ含量、及びＧＩまたはＧＬから選択される少なくとも１つのパラメータに従って、所定の３Ｄテーブルから選択することができる。３Ｄボーラスグリッドは、たとえば、カーボを示すＸ軸、血中ブドウ糖を示すＹ軸、グリセミック指数を示すＺ軸を含み得る。たとえば、Ｘ軸及びＹ軸の各交差が、ボーラス投与量を定義し得る。Ｚ軸とのボーラス投与量の各交差は、ボーラス投与量が投与されるべき送達パターンを定義し得る。所定の推奨ボーラス投薬量及び所定の推奨送達パターンをもつこのようなテーブルはさらに、「ボーラスグリッド」と呼ばれ、２つ以上のグリッドのどの組合せもさらに、「ボーラスグリッドセル」または「セル」と呼ばれることになる。
【００６０】
[0081]ボーラスグリッドセルは、現在の血中ブドウ糖レベル、消費されたまたはこれから消費される食事のカーボ負荷のユーザによる概算、及び消費されたまたはこれから消費される食事のＧＩまたはＧＬのユーザによる概算の任意選択の組合せに対応する所定のボーラス投与量及び送達パターンを含み得る（このようなグリッドの例が、図５、６に示される）。いくつかの実施形態では、ボーラスグリッドは、予め決定し、ボーラスセレクタ２０００のメモリに格納することができる。
【００６１】
[0082]いくつかの実施形態では、ボーラスセレクタ２０００は、多くの３Ｄボーラスグリッドを含み得る。各グリッドは、目標ＢＧ、ＩＳ値、及びＣＩＲのある特定の組合せに対応し得る。ユーザの固有の１つまたは複数のボーラスグリッド（たとえば、ユーザは、１日を通して異なるＴＢＧをもつ）は、たとえばボーラスセレクタ２０００のメモリから取出し可能でよい。いくつかの実施形態では、ボーラスセレクタは、調剤パッチユニットの再利用可能部分内に配置することができる。
【００６２】
[0083]図８は、推奨インスリンボーラス投薬量及び推奨送達パターンを選択する方法の一例を表すブロック図を示す。たとえば、この方法は、ボーラスセレクタによって実装することができる。いくつかの実施形態では、ユーザ固有ボーラスの選択のために、予め確立されたインスリンボーラスをもつ３次元グリッドが、ボーラスセレクタのメモリから取り出され得る。複数のグリッドは、ボーラスセレクタのメモリに保存することもできる。各グリッドは、ＩＳ、ＣＩＲ、及びＴＢＧなど、ユーザ固有パラメータの異なる組合せに適し得る。適切なグリッドは、ユーザがこうしたパラメータを入力したとき、メモリから取り出すことができる。
【００６３】
[0084]ボーラスは、格納された各ボーラスグリッド中のカーボ負荷、ＧＩ、及び血中ブドウ糖レベルの各組合せ向けに予め決定することができる。ユーザは、こうしたパラメータの適切な組合せを選択し、ボーラスセレクタに入力し、いくつかの実施形態では、この組合せに対応するグリッドのセルを自動的に取り出すことができる。このセルは、取り出されたボーラスグリッドから、投与量及び送達パターンを記述するボーラスを提供し得る。適切なボーラスは、予定されるカーボ摂取（負荷及びＧＩ）ならびに血中ブドウ糖レベルの実際の測定の結果の組合せに対応するべきである。血中ブドウ糖レベルの測定値は、ユーザによって入力することも、いくつかの実施形態では、ボーラスセレクタと通信する血糖計または連続ブドウ糖モニタ（ＣＧＭ）から自動的に取得することができる。ボーラス送達パターンは、ＧＩ関連送達ボーラスをユーザ向けに適合させる一連の検査に従って予め決定することもできる。こうした検査は、注入装置の初期セッティング中にユーザによって実施することができる。
【００６４】
[0085]いくつかの実施形態では、ＩＳ、ＣＩＲ及び目標ＢＧ値（図８では、たとえば、２０１、２０１’、２０１’’と指定する）は、患者によってボーラスセレクタ内にロードすることができ、患者固有のボーラスグリッドは、それに従って２０２で取り出し、患者に対して表示することができる。２０３で、表示ボーラスグリッドからの推奨ボーラスが選択され得る。選択は、（たとえば）予定される摂取物のカーボ負荷、摂取物のＧＩ及び／または血中ブドウ糖（ＢＧ）レベルに基づいてよい。こうしたパラメータは、ボーラスグリッド内に提示することができ、この例では、「ｘ」軸はカーボ範囲であり、「ｙ」軸はＢＧ範囲であり、「ｚ」軸はＧＩ範囲である。こうしたパラメータの当該組合せの選択は、２０４と指定される。
【００６５】
[0086]血中ブドウ糖レベルは、たとえば、血糖計、連続皮下ブドウ糖センサなど、適切などのブドウ糖センサからも取得することができる。ブドウ糖測定は、ボーラス選択の直前に実施することができる。予定されるカーボ負荷及びＧＩは、ユーザによって評価することができる。
【００６６】
[0087]いくつかの実施形態では、たとえば２０８で示すように、剰余インスリン値は、前回のボーラス投与量及び経過時間から取得することができる（たとえば、図３に示す）。剰余インスリン値の入力は、推奨ボーラス投与量からの剰余インスリン含量の減算をトリガし得る。たとえば、図３に示すように、２単位のインスリンが、現在のボーラスの投与の１時間前に投与された場合、１．６単位のインスリンが吸収されず、体内に留まる（剰余インスリン＝１．６）。したがって、ボーラスセレクタによって提案されるボーラスは、剰余インスリンのない（剰余インスリン＝０）所定のボーラスより１．６単位だけ低くなるべきである。さらに、２単位のインスリンが、現在のボーラスの１時間前に投与され（１．６Ｕ）、３単位が現在のボーラスの３時間前に投与された（ＲＩ＝１．２Ｕ）場合、（たとえば）２．８Ｕ（１．２＋１．６）が差し引かれるべきである。いくつかの実施形態では、剰余インスリンは、送達ボーラスパターンには影響せず、単に投与量に影響する。様々な注入装置が、インスリン送達のために使われ得る（たとえば、インスリンポンプ、注入ペン、送達／調剤装置など）。インスリン残余値は、（たとえば）定期的に、またはユーザの裁量で表示することができる。
【００６７】
[0088]別の実施形態によると、ＲＩは、たとえばボーラスグリッドの追加次元でよい。つまり、ＲＩの範囲をもつ軸は、推奨ボーラス投与量及び送達パターンをもつセルを決定する際のパラメータでもよい。このような実施形態では、ＲＩの減算は行われず、ＲＩの選択が行われる。
【００６８】
[0089]ユーザは、２０４で、選択ボーラス投与量及び送達パターンを受諾することができる。いくつかの実施形態では、たとえば２０６に示すように、ユーザは、ボーラスグリッドをナビゲートし、代替ボーラス（代替投与量及び／または送達パターン）を取り出すことによって、選択ボーラスを手動で修正することができる。
【００６９】
[0090]いくつかの実施形態によると、２０５で、ユーザは、選択ボーラスを（ボーラスグリッドからのものではない）代替ボーラスで置き換えることができる。ボーラスが２０４でボーラスセレクタによって選択されるか、２０６で修正され選択されるか、それとも２０５で選ばれるかに関わらず、ボーラス送達は、２０９で、遠隔制御ユニットから伝送されるコマンドによって、及び／または調剤パッチユニット上に配置され得る手動ボーラスボタンによって開始することができる。
【００７０】
[0091]一実施形態では、３Ｄボーラスグリッドの軸（たとえば、炭水化物摂取範囲がグリッドの「ｘ」軸に提示され、血中ブドウ糖レベルがグリッドの「ｙ」軸に提示され、ＧＬレベルがグリッドの「ｚ」軸に提示される）は、予めセットされたカーボ負荷の範囲、ＧＬの範囲、及び血中ブドウ糖レベルの範囲を含み得る。ボーラスは、カーボ負荷範囲、ＧＬ範囲及び血中ブドウ糖レベルの範囲の各組合せに対して予め決定することができる。
【００７１】
[0092]いくつかの実施形態では、３Ｄボーラスグリッドの軸は、カーボ負荷の範囲、ＧＩの範囲及び血中ブドウ糖レベルの範囲を含み得る。いくつかの実施形態では、ＧＬの範囲は所定ではなく、ＧＩの選択範囲及びカーボ負荷の範囲からボーラスセレクタによって算出される。たとえば、ボーラスは、カーボ負荷範囲、算出されたＧＬ範囲、及び血中ブドウ糖レベルの範囲の各組合せに対して予め決定することができる。
【００７２】
[0093]図９は、いくつかの実施形態による、推奨インスリンボーラスを選択する方法の実装に使われ得るボーラスセレクタのブロック図を示す。３０１で、たとえば、ボーラスセレクタは、ユーザの個々のパラメータに従って予めセットすることができる。すなわち、炭水化物対インスリン比（ＣＩＲ）及びインスリン感度（ＩＳ）というパラメータがセットされる。こうしたパラメータは、それぞれ「４５０から５００ルール」及び「１６００から２２００ルール」（たとえば、図１、２に示す）によって取得することができる。
【００７３】
[0094]いくつかの実施形態では、ユーザは、追加パラメータ、すなわち、目標血中ブドウ糖（ＴＢＧ）レベルを予めセットすることができる。ＴＢＧは、１日を通して変わる場合があり、このパラメータは、食前の適切なボーラスグリッドの取出しを可能にするように設定可能でよい。ＩＳ値及びＣＩＲも、１日を通して変わる場合があり、こうしたパラメータも、食前の適切なボーラスグリッドの取出しを可能にするように設定可能でよい。
【００７４】
[0095]いくつかの実施形態では、ＣＩＲ及びＩＳ値は、最近（たとえば、最近数日間に）格納されたボーラスデータに従って繰り返し調整することができる。このステップは、ステップ３０７として指定され得る。ＣＩＲ及びＩＳ値は、実装の際は、最近数日間の使用データからの平均でよい適切なルール及び１日の総投与量（ＴＤＤ）を選ぶことによって、それぞれテーブル２、１から選択すればよい。たとえば、５００、１８００ルールが選択され、平均ＴＤＤが５０ＩＵ／日の場合、ＣＩＲ及びＩＳは、それぞれ１０グラム／単位及び３６ｍｇ／ｄｌ／単位である。ＣＩＲ及びＩＳ値の調整の後、再検討されたＩ及びＣＩＲパラメータに対応する適切なボーラスグリッドが、ボーラスセレクタによって取り出され得る。
【００７５】
[0096]いくつかの実施形態では、適用されるルールは、最近数日間に格納されたボーラスデータに従って繰り返し調整することができる。たとえば、ルールは、１日の総投与量（ＴＤＤ）からの基礎投与量の百分率に関連づけられ得る。適用されるべき最適ルールは、したがって、格納された１日の総投与量（ＴＤＤ）から基礎投与量の百分率を生じることによって決定することができる。たとえば、基礎投与量がＴＤＤの５０％の場合、最適な適用ルールは、ＣＩＲ及びＩＳに対してそれぞれ「５００ルール」及び「２０００ルール」になるはずである。基礎投与量がＴＤＤの４０％の場合、適用ルールは、ＣＩＲ及びＩＳに対してそれぞれ「４５０ルール」及び「１８００ルール」になるはずである。基礎投与量がＴＤＤの６０％の場合、適用ルールは、ＣＩＲ及びＩＳに対してそれぞれ「５５０ルール」及び「２２００ルール」になるはずである。
【００７６】
[0097]ステップ３０２は、いくつかの実施形態によると、任意選択のボーラスセレクタ特徴でよい。このことは、最近数日間に選択された時間間隔中に使われる平均ボーラス投与量及び送達パターンをユーザに提示することによって選択プロセスの時間を短縮し得ることを特徴とする。たとえば、１日は、５つの時間間隔（たとえば、６：００から１０：００、１０：００から１４：００、１４：００から１８：００。１８：００から２２：００、２２：００から６：００）に分ければよく、総インスリン量の平均及び最近数日間に対応する時間間隔中に送達される最も有力な送達パターンは、特徴づけられた値（３０２）となる。ボーラスセレクタはしたがって、ＢＧ、カーボ負荷及びＧＩをロードする前であってもボーラスを示し得る。この値は、３Ｄボーラスグリッド中にスタンドアロンパラメータとしても、第１の好ましい選択または印つきセルとしても表示することができ、ボーラス選択のための付随的推奨として用いることもできる。
【００７７】
[0098]定義される時間間隔は、たとえば、一定の基礎プロファイルから（たとえば、最後の７つの「週末」プロファイル中で、午前６から１０時の間に与えられるボーラスの平均をとることによって）選択することもできる。
【００７８】
[0099]一実施形態では、ボーラス投与量の標準偏差が微小な場合、平均されたボーラス投与量がユーザに提示され得る。著しい偏差が認められる場合、平均されたボーラス投与量値は提示されない。ボーラスセレクタは、選択ボーラスが平均値とは、たとえば相当量だけ異なる場合、ユーザに警告することもできる。相当量は、総ボーラス投与量の百分率として定義され得る。あるいは、相当量は、ユーザのＩＳ値に従って各ユーザごとに個々に定義してもよい。たとえば、９０ｍｇ／ｄＬ／ＵのＩＳをもつユーザに対する１単位の偏差は、９０ｍｇ／ｄＬのＢＧ低下を引き起こす可能性があり、１０ｍｇ／ｄＬ／ＵのＩＳをもつユーザに対する１単位の偏差は、１０ｍｇ／ｄＬのＢＧ低下を引き起こす場合がある。
【００７９】
[00100]前回投与されたボーラスの時間、投薬量、及び送達パターンを参照するデータは、図７に示すように、メモリ２０２０に格納することができ、本開示のいくつかの実施形態によると、定期的に、またはユーザの裁量で表示することができる。
【００８０】
[00101]３０３で、取り出されたボーラスグリッドからのボーラス投与が選択され得る。この例では、「ｘ」軸はカーボ範囲を表し、「ｙ」軸はＢＧ範囲を表し、「ｚ」軸はＧＩ範囲を表す（２０４）。血中ブドウ糖レベルが、ステップ３０２ａで、たとえば、血糖計、連続皮下ブドウ糖センサなど、適切などのブドウ糖センサからも取得され得る。カーボ負荷及びＧＩは、それぞれステップ３０２ｂ及び３０２ｃでユーザによって評価され得る。３０８で、剰余インスリン含量が、所定のボーラス投与量から差し引かれ得る。
【００８１】
[00102]いくつかの実施形態では、ユーザは、選択ボーラスを受諾し（３０４）、ボーラス値を手動で選び（３０６）、かつ／またはボーラスグリッドから代替ボーラスを選択する（３０９）ことができる。ボーラスがボーラスセレクタのために直接選択されるのか、それとも投与履歴を考慮しながら続いて修正され選択されるのかに関わらず、ステップ３１０でのボーラス送達は、遠隔制御ユニットからコマンドを伝送することによって、及び／またはいくつかの実施形態では、調剤パッチユニット上に配置されたボーラスボタンを用いて手動入力によって開始することができる。
【００８２】
[00103]ボーラスグリッドから選択されたボーラスは、自動的に送達することもでき、触覚、可聴または振動による警告が、ボーラス送達に先立って、ボーラス送達後に、または送達が一時停止された場合に患者に通知を行うのに使われてもよい。一実施形態では、調剤装置は、インスリン送達のために用いてよく、皮膚接着型ポンプとして構成され得る。別の実施形態では、インスリン送達のための他の装置が使われ得る（たとえば、インスリンポンプ、注入ペンなど）。
【００８３】
[00104]図１０は、所定のインスリンボーラス投薬量を有し、また、所与のカーボ負荷、ＧＩ、及び現在の血中ブドウ糖測定値に対応する送達パターンを有する３次元ボーラスグリッドの実施形態を示す。図１０の３Ｄグリッドは、たとえば、炭水化物対インスリン比（ＣＩＲ）が高く（たとえば、４０ｇ／単位）、インスリン感度（ＩＳ）が高く（たとえば、１００ｍｇ／ｄＬ／単位）、ならびに胃排出及びブドウ糖吸収速度が正常な患者に適し得るボーラスグリッドを示す。
【００８４】
[00105]図１１ａ乃至図１１ｄは、所定のインスリンボーラス投薬量をもち、また、所与のカーボ負荷、ＧＩ、及び現在の血中ブドウ糖測定値に対応する予め確立された送達パターンをもつ３次元ボーラスグリッドの「２次元」スライスのいくつかの例を挙げる。たとえば、図１１ａに示す２Ｄスライスは、低ＧＩの食事に対応する。たとえば、低ＧＩが選択されると、持続型ボーラス（たとえば、６時間かかる）が送達される必要があり得る。図１１（ａ）は、炭水化物対インスリン比（ＣＩＲ）が高く（たとえば、３０ｇ／単位）、インスリン感度（ＩＳ）が高い（たとえば、８０ｍｇ／ｄＬ／単位）患者に適し得るボーラスグリッドを示す。
【００８５】
[00106]図１１（ｂ）は、たとえば、平均炭水化物対インスリン比（たとえば、１５ｇ／単位）及び平均インスリン感度（たとえば、４０ｍｇ／ｄＬ／単位）の患者に適し得るボーラスグリッドを示す。図１１（ｃ）は、低炭水化物対インスリン比（たとえば、７．５ｇ／単位）及び低インスリン感度（たとえば、２０ｍｇ／ｄＬ／単位）の患者に適し得るボーラスグリッドを示す。図１１（ｄ）は、炭水化物対インスリン比が平均であり（たとえば、１５ｇ／単位）、インスリン感度が平均であり（たとえば、４０ｍｇ／ｄＬ／単位）、胃排出が遅い（たとえば、糖尿病誘発胃アトニー）患者に適し得るボーラスグリッドを示す。
【００８６】
[00107]図７を続けて参照すると、図１２乃至図１５は、ボーラスセレクタ２０００によって表示されるインタフェース２０４０の構成の様々な実施形態を示す。図１２は、データ入力のためのナビゲーションウィンドウを有するボーラスセレクタ２０００用のユーザインタフェースの一例を示す。１２ａは、炭水化物対インスリン比（ＣＩＲ）、インスリン感度（ＩＳ）、及び目標血中ブドウ糖（ＴＢＧ）パラメータをセットするウィンドウの例を示す。いくつかの実施形態によると、ユーザは、ＩＳ値及びＣＩＲを取得するルールをセットすることもできる。１２ｂは、現在の血中ブドウ糖レベル、摂取物の炭水化物負荷、及び摂取物のＧＩというパラメータをセットするウィンドウの例を挙げる。食事が、複数のＧＩ（たとえば、ピザ及びデザートのケーキ）を含む場合、「組合せＧＩ」も選択され得る。ボーラスセレクタは、組合せグリセミック指数、たとえば、高ＧＩ＋低ＧＩまたは高ＧＩ＋中間ＧＩを含む食事に適した送達パターンを含み得る。
【００８７】
[00108]ユーザは、１２ｂに示すウィンドウを介して、「食品データ」ソフトキー１２２を押すことによって、様々な食品に関連づけられたデータベースに入ることができる。１２ｃは、推奨選択ボーラス（ボーラス投与量及び送達パターン）を表示するウィンドウの例を示す。１２ｄは、ユーザが１２ａ乃至１２ｃに提示されるウィンドウのいずれかを選択するためのボーラスセレクタ２０００のメインウィンドウの例を示す。追加ウィンドウが、メインウィンドウを介してアクセス可能であり得る（たとえば、最近のボーラスデータをダウンロードするウィンドウ）。１２ｅは、異なる食品及び飲料に関連づけられたカーボ負荷及びＧＩをもつデータベースを表示するウィンドウの例を示す。
【００８８】
[00109]図１３ａ及び図１３ｂは、ユーザが自分のＢＧ値を入れることができるボーラスセレクタ２０００用ユーザインタフェースの実施形態を示す（図１３ａ）。本実施形態では、単に、入れたＢＧ範囲に対応する３Ｄボーラスグリッドの２次元のスライスが表示される（図１３ｂ）。いくつかの実施形態では、ユーザは、ボタン６０、６０’、６１、６１’をスクロールし、異なる数値範囲の間をナビゲートすることによって要求ボーラスを選択することができる。こうした範囲は、したがって、摂取物のカーボ負荷及び摂取物のＧＩを量的に表す。推奨ボーラス投与量及び送達パターンが、数字６４で示すように指示され得る。この例における可能ボーラス送達パターンは、即時型ボーラス（ＩＢ）、１、４、または７時間かかる持続型ボーラス（ＥＢ）の１つである。血中ブドウ糖値入力６３（たとえば、ＢＧ＝１２２）は、ボーラスセレクタ２０００によって当該ＢＧ値範囲とみなされ得る（たとえば、１００＜ＢＧ＜１５０）。
【００８９】
[00110]図１４は、当該ＢＧ範囲に対応する３Ｄボーラスグリッドの２次元のスライスが表示される、ボーラスセレクタ２０００用ユーザインタフェースの別の実施形態を示す。このような実施形態では、ユーザは、（たとえば）ボタン６１、６１’、６０、６０’をスクロールし、様々な選択肢の間を定性的にナビゲートすることによって要求ボーラスを選択することができる。たとえば、選択肢は、摂取物のＧＩ及び摂取物のカーボ負荷を表し得る。図１３ａに示す血中ブドウ糖値入力６３（たとえば、ＢＧ＝１２２）は、ボーラスセレクタ２０００によって当該ＢＧ値範囲（たとえば「中間ＢＧ」）とみなされ得る。
【００９０】
[00111]図１５は、当該ＢＧ範囲に対応する３Ｄボーラスグリッドの２次元のスライスが表示される、ボーラスセレクタ２０００用ユーザインタフェースの別の実施形態を示す。この実装形態によると、ユーザは、ボタン６１’、６１、６０、６０’をスクロールし、摂取物のＧＩ及び摂取物のカーボ負荷に関連づけられたアニメーションとして図表的に表される異なる選択肢８３’、８３の間をナビゲートすることによって要求ボーラスを選択することができる。一変化形態では、図１３ａに示す血中ブドウ糖値入力６３（たとえば、ＢＧ＝１２２）は、ボーラスセレクタ２０００によって当該ＢＧ値範囲（←→ＢＧ）とみなされ得る。年少の子供及び例示するユーザは、図１５に示すグラフィカルユーザインタフェースによる利益を特に受け得る。
【００９１】
[00112]図１６ａ乃至図１６ｃは、ボーラスセレクタ２０００用に血中ブドウ糖（ＢＧ）入力を測定し入力するために使われる血糖計９０をそれぞれ含む、装置の３通りの実施形態を示す。図１６ａは、薬物送達装置の遠隔制御ユニット１００８内に配置された血糖計９０を示す。血糖計９０は、検査用紙９９の受取りのための開口部９５を備える。ユーザは、体から血液を抽出し、検査用紙９９に血液を置き、用紙を開口部９５に挿入すればよい。ブドウ糖読取り値は、遠隔制御ユニット１００８のスクリーン８０に表示することができる。
【００９２】
[00113]図１６ｂは、調剤パッチユニット１０１０の再利用可能部分１内に配置された血糖計９０を示す。調剤パッチユニット１０１０内にある血糖計９０と遠隔制御ユニット１００８内にあるボーラスセレクタ２０００との間の通信チャネル３００が維持され、プログラミング、データ操作、及びユーザ入力を可能にする。図１６ｃは、ブドウ糖読取り値が別個の独立血糖計９０から受け取られ得る実施形態を示す。
【００９３】
[00114]図１７ａ及び図１７ｂは、血中ブドウ糖読取り値がボーラスセレクタ２０００に手動でロードされ、またはボーラスセレクタ２０００によって連続皮下ブドウ糖モニタ１００６から自動的に受け取られ得る本開示の別の実施形態を示す。連続皮下ブドウ糖モニタ１００６と、遠隔制御ユニット１００８内にあるボーラスセレクタ２０００との間の通信チャネルが維持され、プログラミング、データ操作、及びユーザ入力を可能にすることができる。
【００９４】
[00115]図１７ａは、現在の血中ブドウ糖濃度が独立連続皮下ブドウ糖モニタ１００６から受け取られ、患者によってボーラスセレクタ２０００にロードされる実施形態を示す。図１７ｂは、連続皮下ブドウ糖検知機器１００６がインスリン送達装置の調剤パッチユニット１０１０内に配置される実施形態を示す。
【００９５】
[00116]参照によってその全体が本明細書に組み込まれている、我々の以前のＰＣＴ出願第ＰＣＴ／ＩＬ０７／０００１６３号に開示されるように、インスリン調剤機器１００５及びブドウ糖検知機器１００６は、図示した実施形態では、単一インスリン送達装置をなし、調剤及び検知機能両方のために単一カニューレ６を共有し得る。あるいは、検知機器及び調剤機器は、皮膚５を貫通し、皮下組織に留まる別個のカニューレを有してもよい。
【００９６】
[00117]別の実施形態では、本装置は、半閉ループシステムとして動作するように構成することができる。半閉鎖システムでは、センサ測定と治療流体放出との間のフィードバック及び制御は、部分的に自動でよい。たとえば、基礎速度での治療流体の放出は、分析物の様々な測定値に基づいて、プロセッサによって自動制御することができ、治療流体のボーラス投与の放出は依然として、ユーザの入力に基づき、それに従って送達することができる。インスリンは、ブドウ糖レベルの連続監視に従って、また、追加ユーザ入力に従って自動的に調剤することができる（半閉ループ）。たとえば、ボーラスセレクタ２０００は、半閉ループシステムにおけるボーラス入力用に使うことができる。
【００９７】
[00118]図１８は、ボーラスセレクタ２０００によって患者固有のボーラスグリッド取出しに使うことができるボーラスセレクタデータ入力を示す。摂取物のカーボ負荷及び摂取物のＧＩは、手動で設定することができる。現在の血中ブドウ糖レベルも、手動で設定することができる。たとえば、ユーザは、血糖計、連続皮下ブドウ糖監視装置、または血中ブドウ糖レベルを測定する、当該分野において公知である他の適切などの手段を用いても、自分の血中ブドウ糖レベルを調べることができる。
【００９８】
[00119]あるいは、現在の血中ブドウ糖レベルは、自動的に設定することができる。たとえば、装置は、測定血中ブドウ糖レベルの直接入力を可能にするために、血糖計ならびにボーラスセレクタと血糖計との間の通信チャネルを備え得る。別の実施形態では、通信チャネルは、測定血中ブドウ糖レベルの直接入力を可能にするために、ボーラスセレクタと独立血糖計との間を出ることができる。
【００９９】
[00120]別の実施形態では、連続皮下ブドウ糖監視機器が、ボーラスセレクタにＢＧレベルを継続的に伝送することができる。別の実施形態によると、ボーラスセレクタと独立連続皮下ブドウ糖監視装置との間に通信チャネルが存在してよく、測定血中ブドウ糖の直接伝送を可能にする。
【０１００】
[00121]剰余インスリンに関するデータ（最終ボーラスの時間及び投与量）は、手動でも自動的にも取得することができ、選択ボーラス投与量から適切な量を減算させる。炭水化物対インスリン比（ＣＩＲ）、インスリン感度（ＩＳ）、及び目標血中ブドウ糖（ＴＢＧ）は、ユーザの初期セッティングに従ってボーラスセレクタによって使われ得る。いくつかの実施形態では、ＣＩＲ、ＩＳ及びＴＢＧ値は、手動で調整することができる。
【０１０１】
[00122]図１９は、装置の別の実施形態を示し、この中でボーラスセレクタ２０００は、遠隔制御ユニット１００８内に配置され、外部ＰＣ８０と通信する。いくつかの実施形態では、ユーザの特定の予めセットされたＩＳ値、ＣＩＲ、及びＴＢＧに対応する３Ｄボーラスグリッドは、リモートコントロール１００８内のボーラスセレクタ２０００のメモリに保存することができ、それ以外のボーラスグリッド（すなわち、他のＩＳ値、ＣＩＲ比、またはＴＢＧ値に対応するボーラスグリッド）は、外部ＰＣ８０のメモリに保存することができる。ユーザの糖尿病状態が変わった場合、新しいＩＳ及び／またはＣＩＲ及び／またはＴＢＧに対応するボーラスグリッドが、以前の格納３Ｄボーラスグリッドに加えて、またはその代わりに、外部ＰＣ８０からボーラスセレクタメモリにダウンロードされ得る。
【０１０２】
[00123]いくつかの実施形態によると、ボーラスグリッドの送達パターンは、ある特定のユーザに適合させることができる。異なるユーザが、同じＧＩに対して異なる送達パターンを要求する場合がある。たとえば、胃アトニーのあるユーザは、遅い胃排出に適応させるために、比較的長い期間をかける送達パターンを要求する可能性がある。一方、ダンピング症候群を患うユーザは、速い胃排出に適応させるために、比較的短い期間をかける送達パターンを必要とする可能性がある。
【０１０３】
[00124]システム使用に先立つボーラスグリッドの適合は、たとえば、遠隔制御ユニット１００８を介して直接実施することができる。ボーラスグリッドは、ＰＣ８０のために予め決定し、遠隔制御ユニット１００８内にあるボーラスセレクタ２０００に後でダウンロードすることもできる。
【０１０４】
[00125]図２０ａは、高ＧＩをもつ摂取物に対応する、３Ｄボーラスグリッドの２次元のスライスの例を示す。この場合、即時型ボーラスが推奨され得る。この例におけるボーラスグリッドは、ＩＳ値が４０ｍｇ／ｄＬ／単位、ＩＳ／ＣＩＲ比が３（すなわち、ＣＩＲ＝１３．３ｇ／単位）、目標ＢＧレベルが１００ｍｇ／ｄＬのユーザに適し得る。図に示すように、各範囲（血中ブドウ糖（ＢＧ）レベルまたはカーボのいずれか）は、たとえば、範囲を定義する低境界及び高境界をもつ。各範囲は、所定のボーラスの算出において適用される基準値（「Ｒｅｆ．」）として指定される離散値で表される。
【０１０５】
[00126]いくつかの実施形態では、基準値は、必ずしも中央値ではなく、各範囲の低い方の部分により近い値である。いくつかの実施形態では、基準値は、所定のボーラスグリッドの生成中に意図的に、たとえば、中央値より高い方にずらしてよい。いくつかの例では、基準値は上方境界値に等しくてよい（たとえば、２０から４０の範囲では、基準値は４０でよい）。このずれの原理は、消化されるカーボ負荷を推定する際の人的エラーを最小限にし得ることである。このエラーは、炭水化物の量を過小評価するユーザ傾向により頻繁に起こされる可能性がある。
【０１０６】
[00127]いくつかの実施形態では、所定のボーラスグリッドの生成中、ボーラスグリッドの各セル値（インスリン単位で提示される）は、ＢＧ濃度を、たとえば、血中ブドウ糖レベルの予め定義された許容可能な臨床範囲内に収めさせるように選択することができる。この臨床範囲は、血中ブドウ糖レベルの２つの離散値、すなわち「最小アンダーシュート」と呼ばれる下方境界と、「最大オーバーシュート」と呼ばれる上方境界との間に境界を定めることができる。最小アンダーシュート及び最大オーバーシュートは、それぞれ、たとえば、６０ｍｇ／ｄＬ及び２００ｍｇ／ｄＬでよい。セル中のインスリン値により、患者の血中ブドウ糖レベルが許容可能範囲外になる場合（すなわち、＜６０ｍｇ／ｄＬまたは＞２００ｍｇ／ｄＬ）、患者は低血糖または高血糖を患っている可能性があり、この状態は危険であり得る。
【０１０７】
[00128]いくつかの実施形態によると、ある特定のセルに対するインスリンボーラス投与量の値の選択は、そのセルに対応する血中ブドウ糖範囲及び炭水化物摂取範囲の境界値を検査する検証プロセスを用いて行うことができる。
【０１０８】
[00129]たとえば、血中ブドウ糖（ＢＧ）範囲１３０ｍｇ／ｄＬから１６０ｍｇ／ｄＬ、及び４０グラムから６０グラムの炭水化物摂取範囲に対応するセル値は、基準値、すなわち、投与されるべき４．５単位のインスリンという値を生じる１４５ｍｇ／ｄＬのＢＧ及び４５グラムの炭水化物摂取に従って最初に算出することができる。検証プロセスは、ＢＧ及び炭水化物摂取範囲の低境界（すなわち、ＢＧ＝１３０ｍｇ／ｄＬ及びカーボ＝４０グラム）に基づく下限値、ならびにこうした範囲の高境界（すなわち、ＢＧ＝１６０ｍｇ／ｄＬ及びカーボ＝６０グラム）に基づく上限値を算出することができ、その結果、３．７６単位という下限値及び６単位という上限値を生じる。下限値（３．７６単位）とセル値（４．５単位）との間の絶対差は、０．７４単位に等しく、「ｌｏｗ＿ｄｉｆｆ」と呼ばれる。ｌｏｗ＿ｄｉｆｆ差は、患者のＢＧレベルを約７０ｍｇ／ｄＬにさせ得る。たとえば、これは、ＴＢＧ−ｌｏｗ＿ｄｉｆｆ＊ＩＳという公式を用いて算出することができる。上で提示した例に続いて、ｌｏｗ＿ｄｉｆｆ値は、患者のＢＧレベルを１００−０．７４＊４０＝７０．４ｍｇ／ｄＬにさせ得る。
【０１０９】
[00130]同様の手順が、上限値でも行われ得る。すなわち、上限値（６単位）とセル値（４．５単位）との間の絶対差が、１．５単位であると決定され、（たとえば）「ｕｐｐｅｒ＿ｄｉｆｆ」と呼ばれる。この差は、患者のＢＧレベルを、約１６０ｍｇ／ｄＬの値にさせ得る。値の一方（７０ｍｇ／ｄＬまたは１６０ｍｇ／ｄＬ）が、最小アンダーシュート及び最大オーバーショットによって定義される臨床範囲外の場合、いくつかの実施形態では、基準値及び／またはＢＧの値ならびに炭水化物摂取範囲は再評価され得る。
【０１１０】
[00131]上述した検証手順は、患者のＢＧレベルが許容臨床範囲内に確実に留まるようにする最適セル値を決定するために、反復して実施することができる。いくつかの実施形態では、単一臨床範囲（すなわち、最小アンダーシュート及び最大オーバーシュート）が、ボーラスグリッドのセルすべてに対して定義され得る。いくつかの実施形態では、異なる臨床範囲が、ボーラスグリッドの各セルに対して定義され得る。いくつかの実施形態では、患者／ユーザが、最小アンダーシュート、最大オーバーシュート及び／または範囲の境界などのパラメータを定義／プログラムすることができ、自分個人の必要に適合されるようにボーラスグリッドを調整する。いくつかの実施形態では、「ｌｏｗ＿ｄｉｆｆ」及び「ｕｐｐｅｒ＿ｄｉｆｆ」値に対応するＢＧレベルが予め算出され、データベーステーブルに格納され得る。たとえば、図２０ｂ、図２０ｃは、それぞれ、対応する最小アンダーシュート及び最大オーバーシュートテーブルを示す。具体的には、テーブル２０ｂは、図２０ａに提示するＢＧ範囲それぞれ及び６つの炭水化物摂取範囲それぞれに対する最小アンダーシュート値のリストを挙げる。いくつかの実施形態では、テーブル１８ｂ、１８ｃは、ユーザに提示されない。
【０１１１】
[00132]たとえば、テーブル２０ｂによると、最小許容可能アンダーシュート値は７０ｍｇ／ｄＬである。テーブル２０ｃによると、最大許容可能オーバーシュート値は１６０ｍｇ／ｄＬである。いくつかの実施形態では、アンダーシュート及び／またはオーバーシュート値、範囲の下方及び／または上方境界ならびに他のボーラスグリッドパラメータが調整され得る。
【０１１２】
[00133]図２１ａ乃至図２１ｆは、ボーラスセレクタによってユーザに推奨され得る例示的な所定のボーラス送達パターンのグラフ表現を示す。たとえば、図２１ａは、全ボーラス投与量が可能な限り素早く送達される送達パターンを示す。このパターンは、消化管から素早く吸収される食事、すなわち、高グリセミック指数をもつことを属性とする食事に適し得る。このような食事の例は、コーンフレークまたは果物である。
【０１１３】
[00134]図２１ｂは、ボーラス投与量が１時間かけて均一に送達される送達パターンを示す。このパターンは、消化管から比較的ゆっくりと吸収される食事、すなわち、ピザなど、低グリセミック指数または高脂肪の食事に適し得る。図２１ｃは、ボーラス投与量が４時間かけて均一に送達される送達パターンを示す。このパターンは、消化管から非常にゆっくりと吸収される食事、すなわち、ステーキなど、非常に低いグリセミック指数または脂肪が非常に高い食事に適し得る。
【０１１４】
[00135]図２１ｄは、ボーラス投与量の一部分が即座に送達され、残りの投与量が長時間かけて均一に送達される送達パターンを示す。図示するパターンでは、即時型部分は総投与量の６０％であり、残りは４０％である。残りの部分は、２時間かけて送達される。たとえば、このような送達パターンは、果物及びパスタなど、素早く（高ＧＩ）及びゆっくりと（中間ＧＩ）吸収される炭水化物両方を含む食事に適し得る。
【０１１５】
[00136]図２１ｄに示すパターンは、中間グリセミック指数に対応する食事の前に、上昇した血中ブドウ糖値が補正される必要があるときにも適し得る。ＢＧの補正に必要とされるインスリンは、ボーラスの即時型部分に含めればよく、ゆっくりと吸収される食事は、進行中の比較的長い時間間隔に含めればよい。たとえば、ユーザが、中間ＧＩに対応する食事をとることを予定しており、ユーザの現在のＢＧが高い場合、以下の２つのボーラスが用いられ得る。
・高ＢＧレベルを目標値にもっていくために送達される即時型補正ボーラス
・食事と中間ＧＩのバランスをとるために時間をかけて送達される持続型ボーラス
[00137]図２１ｅは、ボーラス投与量の一部分が即座に送達され、残りの投与量が長時間かけて均一に送達される別の送達パターンを示す。図示するパターンでは、即時型部分は総投与量の６０％を含み、残りの４０％は、それ以降の４時間をかけて送達される。このような送達パターンは、果物及びポークリブなど、素早く（高ＧＩ）及び非常にゆっくりと（低ＧＩ）吸収される炭水化物両方を含む食事に適し得る。このようなパターンは、低グリセミック指数をもつ食事の前に、上昇した血中ブドウ糖値の補正が必要とされるときにも適する。
【０１１６】
[00138]本明細書において記載した主題の様々な実施形態は、デジタル電子回路機構、集積回路機構、特殊設計ＡＳＩＣ（特定用途向け集積回路）、コンピュータハードウェア、ファームウェア、ソフトウェア、及び／またはその組合せで実現することができる。こうした様々な実施形態は、特殊目的でも汎用でもよく、記憶システムからデータ及び命令を受信するように、またシステムにデータ及び命令を送信するように結合された少なくとも１つのプログラム可能プロセッサと、少なくとも１つの入力装置と、少なくとも１つの出力装置とを含むプログラム可能システム上で実行可能及び／または翻訳可能である１つまたは複数のコンピュータプログラムでの実装を含み得る。
【０１１７】
[00139]こうしたコンピュータプログラム（プログラム、ソフトウェア、ソフトウェアアプリケーションまたはコードとしても知られる）は、プログラム可能プロセッサ用のマシン命令を含み、高度な手続き型及び／もしくはオブジェクト指向プログラミング言語で、ならびに／またはアセンブリ／マシン言語で実装することができる。本明細書で使用する「マシン可読媒体」という用語は、マシン命令及び／またはデータをプログラム可能プロセッサに与えるのに使われるどのコンピュータプログラム製品、機器及び／または装置（たとえば、磁気ディスク、光ディスク、メモリ、プログラム可能論理素子（ＰＬＤ））も指し、マシン命令をマシン可読信号として受け取るマシン可読媒体を含む。「マシン可読信号」という用語は、プログラム可能プロセッサにマシン命令及び／またはデータを与えるのに使われるどの信号も指す。
【０１１８】
[00140]ユーザとの対話を可能にするために、本明細書に記載した主題は、ユーザに情報を表示する表示装置（たとえば、ＣＲＴ（ブラウン管）やＬＣＤ（液晶ディスプレイ）モニタ、または他の表示装置）と、キーボード及びユーザがコンピュータに入力を与えるための指示装置（たとえば、マウスやトラックボール）を有するコンピュータで実装することができる。他の種類の装置も、ユーザとの対話を可能にするのに使うことができる。たとえば、ユーザに提供されるフィードバックは、どの形の感覚フィードバック（たとえば、視覚フィードバック、聴覚フィードバック、または触覚フィードバック）でもよく、ユーザからの入力は、音響、音声、または触覚入力を含むどの形でも受け取ることができる。
【０１１９】
[00141]本明細書に記載した主題は、バックエンド構成要素（たとえば、データサーバとして）を含み、またはミドルウェア構成要素（たとえば、アプリケーションサーバ）を含み、フロントエンド構成要素（たとえば、本明細書に記載した主題の実装形態とユーザが対話するためのグラフィカルユーザインタフェースもしくはウェブブラウザをもつクライアントコンピュータ）、またはこのようなバックエンド、ミドルウェア、もしくはフロントエンド構成要素のどの組合せも含むコンピューティングシステムで実装することができる。システムの構成要素は、どの形または媒体のデジタルデータ通信（たとえば、通信ネットワーク）によっても相互接続することができる。通信ネットワークの例は、ローカルエリアネットワーク（「ＬＡＮ」）、ワイドエリアネットワーク（「ＷＡＮ」）、及びインターネットを含む。
【０１２０】
[00142]コンピューティングシステムは、クライアント及びサーバを含み得る。クライアント及びサーバは概して、互いから離れており、通常は通信ネットワークを介して対話する。クライアントとサーバの関係は、それぞれのコンピュータ上で稼動し、互いにクライアント・サーバ関係をもつコンピュータプログラムにより生じる。
【０１２１】
[00143]本開示のいくつかの実施形態は好ましくは、インスリン調剤システムのリモートコントロール装置に含まれるプロセッサ及び／またはインスリン調剤システムの関係先であるインスリン調剤装置に含まれるプロセッサ上で動作されるソフトウェアによりボーラス選択特徴を実装する。
【０１２２】
[00144]本出願において提示した特許、特許出願、記事、ウェブページ、書籍などを含むがそれに限定されない刊行物または他の文書へのあらゆる参照は、参照によってその全体が本明細書に組み込まれる。
【０１２３】
[00145]いくつかの変形形態が上で詳しく記載されたが、他の修正形態も可能である。たとえば、添付の図面に示し、本明細書において記載した論理フローは、望ましい結果を達成するのに、示した特定の順序も順番も要求しない。他の実施形態も、添付の請求項の範囲内であり得る。
【図１】
2011518634.tif 000003
【図２】
2011518634.tif 000004
【図４−１】
2011518634.tif 000005
【図４−２】
2011518634.tif 000006
【図５】
2011518634.tif 000007
【図７】
2011518634.tif 000008
【図８】
2011518634.tif 000009
【図９】
2011518634.tif 000010
【図１０】
2011518634.tif 000011
【図１１−１】
2011518634.tif 000012
【図１１−２】
2011518634.tif 000013
【図１２】
2011518634.tif 000014
【図１３ａ】
2011518634.tif 000015
【図１３ｂ】
2011518634.tif 000016
【図１４】
2011518634.tif 000017
【図１５】
2011518634.tif 000018
【図１６ａ】
2011518634.tif 000019
【図１６ｂ】
2011518634.tif 000020
【図１６ｃ】
2011518634.tif 000021
【図１７ａ】
2011518634.tif 000022
【図１７ｂ】
2011518634.tif 000023
【図１８】
2011518634.tif 000024
【図１９】
2011518634.tif 000025
【図２０】
2011518634.tif 000026
【図２０ｃ】
2011518634.tif 000027
【図２１ａ】
2011518634.tif 000028
【図２１ｂ】
2011518634.tif 000029
【図２１ｃ】
2011518634.tif 000030
【図２１ｄ】
2011518634.tif 000031
【図２１ｅ】
2011518634.tif 000032
【図３】
2011518634.tif 000033
【図６】
2011518634.tif 000034
【国際調査報告】
2011518634.tif 000035
2011518634.tif 000036
2011518634.tif 000037
2011518634.tif 000038
2011518634.tif 000039